(57)【要約】      （修正有）【課題】ボールの表面に対して印字がずれることなく捺印できるボール用スタンプセットを提供する。【解決手段】表面又は裏面の一方に印面を有し、表面又は裏面の他方に滑り止め面を有する平板状の印判１１と、印判の対向する一対の第１の辺１１４Ａ，１１４Ｂの形状に応じた形状の第２の辺１２６Ａ，１２６Ｂをそれぞれ有し、両面に滑り止め面を有する一対の捺印治具１２Ａ，１２Ｂと、を備える。ボールの被捺印面に捺印する場合に、基盤の上面に印判の滑り止め面及び前記一対の捺印治具の滑り止め面が接触し、かつ印判の対向する一対の第１の辺が一対の捺印治具の第２の辺で挟まれるように、印判及び前記一対の捺印治具を前記基盤の上面に載置し、ボールを印判の印面に押し付けながら回転させる。これにより、ボールの表面に対して印字がずれることなく捺印できる。【選択図】図１
0003188371.tif 000002
【実用新案登録請求の範囲】
【請求項１】
表面又は裏面の一方に印面を有し、表面又は裏面の他方に滑り止め面を有する平板状の印判と、
前記印判の対向する一対の第１の辺の形状に応じた形状の第２の辺をそれぞれ有し、両面に滑り止め面を有する一対の捺印治具と、を備えることを特徴とするボール用スタンプセット。
【請求項２】
ボールの被捺印面に捺印する場合に、
基盤の上面に前記印判の滑り止め面及び前記一対の捺印治具の滑り止め面が接触し、かつ前記印判の対向する一対の第１の辺が前記一対の捺印治具の第２の辺で挟まれるように、前記印判及び前記一対の捺印治具を前記基盤の上面に載置し、
前記ボールを前記印判の印面に押し付けながら回転させる請求項１に記載のボール用スタンプセット。
【考案の詳細な説明】
【技術分野】
【０００１】
本考案は、各種ボールに所望の印影を捺印するボール用スタンプセットに関するものである。
【背景技術】
【０００２】
サッカー、フットサル、ゴルフ、バレーボール、ハンドボール、バスケットボール、硬式又は軟式野球、ソフトボール、硬式又は軟式テニス、卓球、ラグビー、アメリカンフットボール、水球、スカッシュ、ゲートボールなどの各種球技で使用するボールに所有者やチームの名称などをスタンプ（印判）で捺印する要請がある。こうしたボールの被捺印面は、球面又は略球面であることから、平板状の印面を有する一般的なスタンプ（特許文献１の図４参照）を用いる場合は、球面と平面との接触であることから一度には押せず、印字がずれたり、不均一となったり、あるいは滑ったりして鮮明に捺印することが困難である。
【０００３】
このため、本件出願人らは、球体の表面に捺印するための印面を有するスタンプであって、前記印面が、太鼓橋状に中央が突出していることを特徴とするスタンプを先に提案した（特許文献１）。この従来のスタンプでは、印面が太鼓橋状に形成されているので球体の表面に捺印する場合には、印面の一端面と球体の表面とを合わせたのち印面を球体の表面に倣って印面の他端面まで転がすように捺印する。
【０００４】
この一連の捺印動作において、印面が太鼓橋状に形成されているので、印面の一端面から中央、そして印面の他端面まで、スタンプ本体の重心位置から印面までの距離がほぼ一定となり、これにより捺印動作中にスタンプ本体に作用する捺印力の反作用モーメントもほぼ一定となる。これにより、捺印動作中に加わる捺印力が安定し、かつ一定となるので、印字がずれたり、不均一となったり、あるいは印面が滑ったりするといったことが防止でき、鮮明な捺印を行うことができる。
【先行技術文献】
【特許文献】
【０００５】
【特許文献１】特開２００５−１４２５７号公報
【考案の概要】
【考案が解決しようとする課題】
【０００６】
しかしながら、上記従来のスタンプでは、捺印動作中にスタンプ本体に作用する捺印力の反作用モーメントがほぼ一定となるものの、捺印動作中に未乾燥のインキによってボールが滑り、印字がずれるという問題がある。
【０００７】
本考案が解決しようとする課題は、ボールの表面に対して印字がずれることなく捺印できるボール用スタンプセットを提供することである。
【課題を解決するための手段】
【０００８】
本考案は、表面又は裏面の一方に印面を有し、表面又は裏面の他方に滑り止め面を有する平板状の印判と、前記印判の対向する一対の第１の辺の形状に応じた形状の第２の辺をそれぞれ有し、両面に滑り止め面を有する一対の捺印治具と、を備えるボール用スタンプセットにより、上記課題を解決する。
【考案の効果】
【０００９】
本考案によれば、ボールの被捺印面に捺印する場合に、基盤の上面に前記印判の滑り止め面及び前記一対の捺印治具の滑り止め面が接触し、かつ前記印判の対向する一対の第１の辺が前記一対の捺印治具の第２の辺で挟まれるように、前記印判及び前記一対の捺印治具を前記基盤の上面に載置し、前記ボールを前記印判の印面に押し付けながら回転させる。これにより、捺印動作中にボールが滑るのを防止でき、ボールの表面に対して印字がずれることなく捺印することができる。
【図面の簡単な説明】
【００１０】
【図１】本考案の一実施の形態に係るボール用スタンプセットを示す斜視図である。
【図２】図１の印判を示す断面図である。
【図３】図１の捺印治具を示す断面図である。
【図４】図１のボール用スタンプセットを用いた捺印動作を示す斜視図である。
【図５】図４の断面図である。
【考案を実施するための形態】
【００１１】
本考案に係るボール用スタンプセット１は、球技用ボール３の表面に、所有者やチームなど所望の印影を捺印するための印章であり、表面又は裏面の一方に印面１１１を有し、表面又は裏面の他方に滑り止め面１１３を有する平板状の印判１１と、印判１１の対向する一対の第１の辺１１４Ａ，１１４Ｂの形状に応じた形状の第２の辺１２６Ａ，１２６Ｂをそれぞれ有し、両面に滑り止め面１２４，１２５を有する一対の捺印治具１２Ａ，１２Ｂと、を備える。
【００１２】
本考案に係るスタンプセット１を用いて捺印できるボール３は、特に限定されず各種のボールに捺印できるが、一例を挙げるとサッカー、フットサル、ゴルフ、バレーボール、ハンドボール、バスケットボール、硬式又は軟式野球、ソフトボール、硬式又は軟式テニス、卓球、ラグビー、アメリカンフットボール、水球、スカッシュ、ゲートボールなどの各種球技で使用するボールである。
【００１３】
また本考案に係るスタンプセット１を用いてボール３に捺印する印影は、特に限定されずあらゆる印影を捺印できるが、一例を挙げると所有者の氏名・名称・住所・電話番号などの固有識別子、マーク、デザイン、ロゴなどの図形・模様である。
【００１４】
本例のスタンプセット１を構成する印判１１は、図２に示すように、所望の印影を捺印するための印面１１１と、この印面１１１の裏面に貼り付けられた滑り止めシート１１２とからなり、印面１１１はゴムや樹脂などにより構成され、表面側に印影となる凹凸からなる刻印がなされている。また、滑り止めシート１１２は、印判１１の裏面側に相当する面が滑り止め面１１３とされている。滑り止めシート１１２としては、従来公知のものを使用することができ、ゴムやエラストマーからなり滑り止め面１１３に凹凸部が形成されたものを用いることができる。また滑り止めシート１１２は、ゴムやエラストマーにのみ限定されず、滑り止め面１１３が形成され、基盤２との摩擦力が大きい材質であれば木材や金属であってもよい。
【００１５】
本例の印判１１は、図１及び図４に示すように、方形状の平板に形成され、印影を構成する刻印（同図では「タイヨークラブ」の文字）に沿った長辺が本考案の第１の辺１１４Ａ，１１４Ｂに相当する。この第１の辺１１４Ａ，１１４Ｂに対して、上述する捺印治具１２の第２の辺１２６Ａ，１２６Ｂが揃えられることになる。本例の印判１１は厚さｔ１とされている。
【００１６】
本例のスタンプセット１を構成する捺印治具１２Ａ，１２Ｂは、ある程度の剛性を有する基材１２１と、この基材１２１の両面それぞれに貼り付けられた滑り止めシート１２２，１２３とからなる。各滑り止めシート１２２，１２３は、上述した印判１１の滑り止めシート１１２と同じ材料のものを使用することができ、ゴムやエラストマーからなり滑り止め面１１３に凹凸部が形成されたものを用いることができる。また滑り止めシート１２２，１２３は、ゴムやエラストマーにのみ限定されず、滑り止め面１２４，１２５が形成され、ボール３や基盤２との摩擦力が大きい材質であれば木材や金属であってもよい。なお、本例のスタンプセット１においては２つの捺印治具１２Ａ，１２Ｂを有するが、同じ物を用いることができるので、捺印治具を代表して説明する場合は捺印治具１２と称する。
【００１７】
本例の捺印治具１２は、方形状の平板に形成され、その厚さｔ２は印判１１の厚さｔ１とほぼ同じ厚さとされている。また本例の捺印治具１２は、図１及び図４に示すように印判１１の対向する一対の第１の辺１１４Ａ，１１４Ｂにそれぞれ応じた形状の第２の辺１２６Ａ，１２６Ｂを有する。すなわち、一方の捺印治具１２Ａの長辺の一つが第２の辺１２６Ａに相当し、他方の捺印治具１２Ｂの長辺の一つが第２の辺１２６Ｂに相当する。同図に示す場合は、印判１１が長方形であるので、捺印治具１２Ａの第２の辺１２６Ａは直線状に形成され、捺印治具１２Ｂの第２の辺１２６Ｂも直線状に形成されている。ただし、印判１１の外形が円形や楕円形である場合には、第１の辺１１４Ａ，１１４Ｂが円や楕円となるので、捺印治具１２Ａ，１２Ｂの第２の辺１２６Ａ，１２６Ｂもこの円や楕円に応じた形状とする。
【００１８】
なお限定はされないが、印面１１としてポリエチレン、エチレン酢酸ビニル、ポリウレタン、ゴムなどの熱可塑性樹脂に発泡剤を添加して成形した連続気泡の多孔質性樹脂（連続発泡型熱可塑性樹脂）から構成し、この印面１１に、ホルムアルデヒド樹脂、ベンジルアルコール、オクチルジフェニルフォスフェート、プロピレングリコールエーテル類、グリコールエーテル類及び染料を含む速乾性インキを含浸させることが好ましい。競技用ボール３にはインキを吸収しない素材で構成されたものが少なくないが、こうした素材に対して常乾性インキを用いると、ボール３がインキによって滑るので印字がずれたりする。本例では速乾性インキで捺印することで、ボール３が滑るのを抑制でき、またボール３の表面に捺印した印字が短時間で乾燥するので捺印後の取り扱い性も向上する。
【００１９】
次に、本考案のスタンプセット１を用いた捺印方法について説明する。
最初に印判１１の印面１１１にインキを付ける。このインキを付けた印判１１を、図１に示すように、その印面１１１を上面、裏面の滑り止めシート１１２の滑り止め面１１３が下面となるように、机やテーブルなどの基盤２の上面に置く。次に、この印判１１の長辺である第１の辺１１４Ａ，１１４Ｂに沿って２つの捺印治具１２Ａ，１２Ｂを基盤２の上面に置く。このとき、２つの捺印治具１２Ａ，１２Ｂの一対の長辺１２６Ａ，１２６Ｂで印判１１の長辺である第１の辺１１４Ａ，１１４Ｂを挟むように置く。このように印判１１と２つの捺印治具１２Ａ，１２Ｂをセットした状態を図１に示す。
【００２０】
そして、捺印対象物であるボール３を把持し、図４及び図５に示すように、ボール３の被捺印位置が印判１１のいずれか一端に位置するようにボール３を印判１１に押し当て、このように押し当てたまま印判１１に沿ってボール３を回転させる。これにより、ボール３の被捺印面にそって印面１１の全体が押し付けられ、ボール３の被捺印面に目的とする印字が捺印される。この際に、図５の二点鎖線で示すように、ボール３の被捺印面の両面が捺印治具１２Ａ，１２Ｂの表面側の滑り止め面１２４，１２４に押し付けられるので、ボール３と捺印治具１２Ａ，１２Ｂとの位置ずれが防止される。その結果、ボール３の被捺印面と印面１１１との間に未乾燥のインキが介在しても、ボール３の被捺印面が印面１１１に対して滑ることはない。しかも、印判１１及び捺印治具１２Ａ，１２Ｂの裏面のそれぞれには滑り止め面１１３，１２５を有するので、これら印判１１及び捺印治具１２Ａ．１２Ｂが基盤２の上面に対して滑るのも防止される。以上により、インキを吸収しない素材を用いたボール３であっても、ボール３と印判１１とが相対的に滑ることにより印字がずれるのを防止することができる。
【符号の説明】
【００２１】
１…ボール用スタンプセット
１１…印判
１１１…印面
１１２…滑り止めシート
１１３…滑り止め面
１１４Ａ，１１４Ｂ…第１の辺
１２，１２Ａ，１２Ｂ…捺印治具
１２１…基材
１２２，１２３…滑り止めシート
１２４，１２５…滑り止め面
１２６Ａ，１２６Ｂ…第２の辺
２…基盤
２１…上面
３…ボール
【図１】
0003188371.tif 000003
【図２】
0003188371.tif 000004
【図３】
0003188371.tif 000005
【図４】
0003188371.tif 000006
【図５】
0003188371.tif 000007